【手続補正書】
【提出日】平成26年12月22日(2014.12.22)
【手続補正１】
【補正対象書類名】特許請求の範囲
【補正対象項目名】全文
【補正方法】変更
【補正の内容】
【特許請求の範囲】
【請求項１】
燃焼タービンエンジンの運転中に該燃焼タービンエンジンの燃焼システムの燃焼ダクトにおける欠陥を検出するシステムであって、前記燃焼ダクトが、運転中に高温ガス流路の燃焼ガスに曝される内側表面を含み、前記システムが、
前記燃焼ダクトの内側表面上に配置された絶縁皮膜と、
前記燃焼ダクトに電気的に接続された第１の電極と、
前記高温ガス流路内に位置する第２の電極と、
前記第１の電極及び第２の電極の両端に電圧を誘起する手段と、
前記第１の電極及び第２の電極間に流れる電流を検出する手段と、
を備え、
前記第２の電極が、前記燃焼ダクトを通って延びており、前記第２の電極が前記燃焼ダクトに電気的に接続されないように離隔する絶縁構造を含み、
前記第２の電極が、遠位端において前記燃焼ダクトを通って高温ガス流路内に突出する導電先端を含み、
前記第２の電極が、前記第１の電極が電気的に接続される燃焼ダクトの少なくとも大部分の下流側にある位置を含み、
前記絶縁皮膜が遮熱コーティングを含み、
前記燃焼ダクトがトランジションピース及びライナのうちの１つを含む、
システム。
【請求項２】
前記第２の電極は、前記第１の電極が電気的に接続される燃焼ダクトの下流側端部に近接した位置を含み、前記第２の電極が、作動時には、前記燃焼タービンエンジンの運転中に前記燃焼ダクトを通って流れる燃焼ガスに電気的に接続される、請求項１に記載のシステム。
【請求項３】
運転中、前記燃焼タービンエンジンの高温ガス流路が、導電性ドープ剤を含み、
該導電性ドープ剤が、所定試験間隔で前記高温ガス流路内に噴射され、
前記導電性ドープ剤が、前記燃焼ダクトの上流側にある部分にて前記高温ガス流路内に噴射される、
請求項１に記載のシステム。
【請求項４】
コントロールユニットを更に備え、該コントロールユニットが、
前記第１の電極及び前記第２の電極の両端に所定レベルの電圧を印加するよう構成された電圧源を含み、
前記コントロールユニットが、前記第１の電極及び前記第２の電極間に流れる電流を検出するよう構成された電流計を含む、
請求項１に記載のシステム。
【請求項５】
前記コントロールユニットが、前記第１の電極及び前記第２の電極間に流れる所定レベルの電流を検出するよう構成された電流計を含み、
前記コントロールユニットは、前記第１の電極及び前記第２の電極間で前記検出された電流レベルが閾値電流レベルを超えるかどうかを判定するよう構成されている、
請求項４に記載のシステム。
【請求項６】
前記第１の電極、前記第２の電極及び前記制御ユニットは、前記絶縁皮膜が前記燃焼ダクトの内側表面を覆う所望のレベルの被覆範囲を有するときに、前記第１の電極及び第２の電極の両端に印加される所定電圧レベルによって、前記第１の電極及び第２の電極間で検出された電流レベルが前記閾値電流レベルを超えて誘起させることができないように構成される、請求項５に記載のシステム。
【請求項７】
前記第１の電極、前記第２の電極及び前記コントロールユニットは、
第１の作動条件の間、前記第１の電極及び第２の電極間で検出された電流レベルが前記閾値電流レベルを超えず、
第２の作動条件の間、前記第１の電極及び第２の電極間で検出された電流レベルが前記閾値電流レベルを超える、
ように構成されており、
前記第２の作動条件は、前記絶縁皮膜内に欠陥が存在する作動条件を含む、
請求項５に記載のシステム。
【請求項８】
前記欠陥が、前記燃焼ダクトの内側表面上の所定サイズの露出区域を含み、該露出区域が前記絶縁皮膜によって実質的に覆われていない区域を含み、
前記所定サイズの露出した区域が、前記所定電圧レベルにより前記検出された電流レベルが前記閾値電流レベルを超えるように誘起される露出区域に相当する、
請求項７に記載のシステム。
【請求項９】
前記欠陥が、前記燃焼ダクトの内側表面内の絶縁皮膜の剥離及び亀裂形成のうちの１つを含む、請求項７に記載のシステム。
【請求項１０】
前記第１の作動条件は、前記燃焼ダクトの内側表面の所望の部分が前記絶縁皮膜によって覆われる作動条件を含み、
前記コントロールユニットは、前記第２の作動条件が生じたときにワーニング通知を送出するよう構成される、
請求項７に記載のシステム。
【請求項１１】
前記絶縁皮膜が、前記燃焼ダクトの導電率よりも小さい導電率を有し、
前記絶縁皮膜が、前記燃焼タービンエンジンの運転中に前記燃焼ダクトを通って流れる燃焼ガスの近似導電率よりも小さい導電率を有し、
前記所望の部分が前記燃焼ダクトの内側表面の実質的に全てを含む、
請求項１０に記載のシステム。
【請求項１２】
燃焼タービンエンジンの運転中に該燃焼タービンエンジンの燃焼システムの燃焼ダクトにおける欠陥を検出する方法であって、前記燃焼ダクトが、運転中に高温ガス流路の燃焼ガスに曝される内側表面を含み、前記方法が、
前記燃焼ダクトに電気的に接続された第１の電極を提供するステップと、
前記高温ガス流路内及び前記燃焼ダクト内又は該燃焼ダクトに近接して位置する第２の電極を提供するステップと、
前記第１の電極及び第２の電極の両端に電圧を印加するステップと、
前記第１の電極及び第２の電極間に流れる電流を検出するステップと、
を含み、
前記第２の電極が、遠位端において前記燃焼ダクトを通って高温ガス流路内に突出する導電先端を含み、
前記第２の電極が、前記第１の電極が電気的に接続される燃焼ダクトの下流側端部に近接した位置を含み、
前記絶縁皮膜が遮熱コーティングを含み、
前記燃焼ダクトがトランジションピース及びライナのうちの１つを含む、
方法。
【請求項１３】
前記燃焼ダクトの内側表面を絶縁皮膜で被覆するステップを更に含み、
前記絶縁皮膜が、前記燃焼ダクトの導電率よりも小さい導電率を有し、
前記絶縁皮膜が、前記燃焼タービンエンジンの運転中に前記燃焼ダクトを通って流れる燃焼ガスの近似導電率よりも小さい導電率を有する、
請求項１２に記載の方法。
【請求項１４】
前記第１の電極及び前記第２の電極間に流れる所定レベルの電流を検出するステップと、
前記検出された電流レベルが閾値電流レベルを超えるかどうかを判定するステップと、
を更に含む、請求項１３に記載の方法。
【請求項１５】
前記閾値電流レベルは、検出された電流レベルがそれを上回ると前記絶縁皮膜内の欠陥によって引き起こされる高い確率を有する閾値に相当する、請求項１４に記載の方法。
【請求項１６】
前記欠陥が、前記燃焼ダクトの内側表面上の所定サイズの露出区域を含み、前記露出区域が前記絶縁皮膜によって実質的に覆われていない区域を含み、
前記所定サイズの露出した区域が、前記所定電圧レベルにより前記検出された電流レベルが前記閾値電流レベルを超えるサイズに相当する、
請求項１５に記載の方法。
【請求項１７】
前記閾値レベルを超えない検出電流レベルは、前記燃焼ダクトの内側表面の所望の部分が前記絶縁皮膜によって依然として覆われているときに生じる電流レベルに相当し、
前記方法が、前記検出された電流レベルが前記閾値電流レベルを超えたときにワーニング通知を送出するステップを更に含む、
請求項１５に記載の方法。
【請求項１８】
前記燃焼ダクトから上流側にある位置において導電性ドープ剤を前記高温ガス流路内に噴射するステップを更に含む、請求項１２に記載の方法。
【請求項１９】
前記導電性ドープ剤が、前記燃焼タービンエンジンの運転中に前記高温ガス流路を通って流れる前記燃焼ガスの導電率を高めるよう構成される、請求項１８に記載の方法。
【請求項２０】
前記導電性ドープ剤が、所望の試験スケジュールに対応する噴射周期で定期的に噴射される、請求項１９に記載の方法。